(57)【特許請求の範囲】
【請求項１】
吊元框と、引手框と、複数の縦桟と、パンタ部とを備え、縦桟は、框側から交互に配置する第一縦桟と第二縦桟とを備え、パンタ部は、屋内パンタ部材と屋外パンタ部材の中間部を第一縦桟に軸支してあり、吊元框と引手框の隣に位置する縦桟に軸支した屋内パンタ部材と屋外パンタ部材のうち一方側パンタ部材は長さ調整部を備え、框側の端部を框に沿って上下方向にガイドしてあり、他方側パンタ部材は框側の端部を框に軸支してあり、長さ調整部は、長手方向に挿通部を有する太部材と、挿通部の内部にスライド可能に挿入する細部材と、太部材と細部材を固定する固定ネジとを備え、長さ調整部で一方側パンタ部材長さを調整することにより、引手框及び吊元框に対するパンタ部の取付角度を変更可能としたことを特徴とする伸縮門扉。
【請求項２】
吊元框と、引手框と、複数の縦桟と、パンタ部とを備え、縦桟は、框側から交互に配置する第一縦桟と第二縦桟とを備え、パンタ部は、第一パンタ部と第二パンタ部とを伸縮方向に半ピッチ位相をずらして軸支しており、第一パンタ部は、屋内パンタ部材と屋外パンタ部材の中間部を第一縦桟に軸支してあり、吊元框と引手框の隣に位置する第一縦桟に軸支した屋内パンタ部材と屋外パンタ部材は長さ調整部を備え、框側の端部を框に沿って上下方向にガイドしてあり、第二パンタ部は、屋内パンタ部材と屋外パンタ部材の中間部を第二縦桟に軸支してあり、伸縮方向の側端部を框に軸支してあり、中間部と側端部とが略同一線上に配列してあり、長さ調整部は、長手方向に挿通部を有する太部材と、挿通部の内部にスライド可能に挿入する細部材と、太部材と細部材を固定する固定ネジとを備え、長さ調整部で第一パンタ部の屋内パンタ部材と屋外パンタ部材の長さを調整することにより、引手框及び吊元框に対するパンタ部の取付角度を変更可能としたことを特徴とする伸縮門扉。
【発明の詳細な説明】
【０００１】
【発明の属する技術分野】
本発明は、出入口に設ける伸縮門扉に関するものである。
【０００２】
【発明が解決しようとする課題】
傾斜地に設ける伸縮門扉として、実公昭６２−２４７１６号公報は、平行四辺形のパンタ部（パンタグラフとも称する）を構成するパンタ部材のうち、相対する同長２本を１組とする、２組のパンタ部材にあって、各組を構成するパンタ部材の長さを長短とし、傾斜地の角度が異なる毎に、長さの異なるパンタ部材を必要とするため、加工性と組立て性が悪く、現地での調整、勝手変更等の融通ができない問題点があった。
これを解決する手段として、特開平１０−１３１６４９号公報は、パンタ部を構成するパンタ部材のうち、相対する同長２本を１組とし、２組のパンタ部材にあって、各組を構成するパンタ部材の長さを同一にし、１組のパンタ部材に角度調整部材を備え、角度調整部材を引手框や吊元框に軸支しているが、角度調整部材の取付けが面倒で、高価になる問題点があると共に、角度調整部材が外部に露出するので、見栄えが悪くなる問題点があった。
そこでこの発明は、従来技術の備えるこのような問題点に鑑みてなされたものであり、その目的とするところは、屋内パンタ部材と屋外パンタ部材との少なくとも一方側パンタ部材長さを簡単に調整し得るようにして、傾斜地においても使用し得る伸縮門扉を提供することにある。
【０００３】
【課題を解決するための手段】
上記目的を達成するために、本発明の伸縮門扉は、請求項１として、吊元框と、引手框と、複数の縦桟と、パンタ部とを備え、縦桟は、框側から交互に配置する第一縦桟と第二縦桟とを備え、パンタ部は、屋内パンタ部材と屋外パンタ部材の中間部を第一縦桟に軸支してあり、吊元框と引手框の隣に位置する縦桟に軸支した屋内パンタ部材と屋外パンタ部材のうち一方側パンタ部材は長さ調整部を備え、框側の端部を框に沿って上下方向にガイドしてあり、他方側パンタ部材は框側の端部を框に軸支してあり、長さ調整部は、長手方向に挿通部を有する太部材と、挿通部の内部にスライド可能に挿入する細部材と、太部材と細部材を固定する固定ネジとを備え、長さ調整部で一方側パンタ部材長さを調整することにより、引手框及び吊元框に対するパンタ部の取付角度を変更可能としたことを特徴とする。
【０００４】
請求項２として、吊元框と、引手框と、複数の縦桟と、パンタ部とを備え、縦桟は、框側から交互に配置する第一縦桟と第二縦桟とを備え、パンタ部は、第一パンタ部と第二パンタ部とを伸縮方向に半ピッチ位相をずらして軸支しており、第一パンタ部は、屋内パンタ部材と屋外パンタ部材の中間部を第一縦桟に軸支してあり、吊元框と引手框の隣に位置する第一縦桟に軸支した屋内パンタ部材と屋外パンタ部材は長さ調整部を備え、框側の端部を框に沿って上下方向にガイドしてあり、第二パンタ部は、屋内パンタ部材と屋外パンタ部材の中間部を第二縦桟に軸支してあり、伸縮方向の側端部を框に軸支してあり、中間部と側端部とが略同一線上に配列してあり、長さ調整部は、長手方向に挿通部を有する太部材と、挿通部の内部にスライド可能に挿入する細部材と、太部材と細部材を固定する固定ネジとを備え、長さ調整部で第一パンタ部の屋内パンタ部材と屋外パンタ部材の長さを調整することにより、引手框及び吊元框に対するパンタ部の取付角度を変更可能としたことを特徴とする。
【０００７】
【発明の実施の形態】
まず本発明による伸縮門扉の第一実施形態を図１に基づき説明すれば、吊元框５と、引手框６と、複数の縦桟７と、パンタ部４とを備え、パンタ部４は屋内パンタ部材１と屋外パンタ部材２との中間部Ｑを縦桟７に軸支し、両パンタ部材１，２のうちの少なくとも一方側パンタ部材Ｘは、一方側パンタ部材長さＨ１の変更用長さ調整部８を備え、一端部Ｘａを縦桟７からパンタ部４の伸縮方向の一方側に位置する一方側部材Ｍに沿って上下方向にガイドしており、他方側パンタ部材Ｙは一端部Ｙａを一方側部材Ｍに軸支し、一方側パンタ部材Ｘと他方側パンタ部材Ｙとの他端部Ｘｂ，Ｙｂのうちの一方側端部ｃを、縦桟７からパンタ部４の伸縮方向の他方側に位置する他方側部材Ｎに軸支し、他方側端部ｄを他方側部材Ｎ側に位置する隣りパンタ部材Ｚの一端部Ｚａと軸支している。
パンタ部４は、吊元框５と引手框６との間の上部及び下部に設けてあり、縦桟７は上部パンタ部４と下部パンタ部４とに軸支しているが、以下の説明におけるパンタ部４は、断りがない限り上部及び下部パンタ部４，４を含むものとする。
【０００８】
次いで本発明における伸縮門扉の第二実施形態を、第一実施形態と相違する点について説明すれば、図２（イ）の如く縦桟７は、吊元框５及び引手框６から交互に配置する第一縦桟７と第二縦桟１７とを備え、一方側部材Ｍが吊元框５と引手框６であり、他方側部材Ｎが第二縦桟１７であり、パンタ部４の伸縮方向の吊元側端部に位置する屋内パンタ部材１と、引手側端部に位置する屋外パンタ部材２とに長さ調整部８を備え、吊元側の屋内パンタ部材１と引手側の屋外パンタ部材２とが長さ調整可能の一方側パンタ部材Ｘであり、吊元框５及び引手框６に一方側パンタ部材Ｘの一端部Ｘａを上下方向にガイドすると共に、他方側パンタ部材Ｙの一端部Ｙａを吊元框５及び引手框６に軸支しており、一方側パンタ部材Ｘの他端部Ｘｂと他方側パンタ部材Ｙの他端部Ｙｂのうちの一方側端部ｃを第二縦桟１７に軸支し、他方側端部ｄを第二縦桟１７側に位置する隣のパンタ部材Ｚの一端部Ｚａに軸支している。
【０００９】
第二実施形態において、一方側パンタ部材Ｘの長さ調整部８を伸縮し、一方側パンタ部材長さＨ１を他方側パンタ部材長さＨ２と相違することで、例えば吊元側と引手側とに備えた一方側パンタ部材長さＨ１を、一方側パンタ部材Ｘと対を成す他方側パンタ部材長さＨ２より長くするか、反対に一方側パンタ部材長さＨ１を他方側パンタ部材長さＨ２より短くし、或いは吊元側の一方側パンタ部材長さＨ１を長く、引手側の他方側パンタ部材長さＨ２を短くし、又は吊元側の一方側パンタ部材長さＨ１を短く、引手側の他方側パンタ部材長さＨ２を長くすれば、引手框６及び吊元框５に対するパンタ部４の取付角度θの変更が可能となる。
【００１０】
本発明における伸縮門扉の第三実施形態を、第一実施形態と相違する点について説明すれば、図２（ロ）の如く一方側部材Ｍが第二縦桟１７であり、第二縦桟１７の吊元側に位置する吊元側屋外パンタ部材２Ａと、第二縦桟１７の引手側に位置する引手側屋内パンタ部材１Ｂとに長さ調整部８を備え、吊元側屋外パンタ部材２Ａが長さ調整可能の吊元側の一方側パンタ部材Ｘ１で、引手側屋内パンタ部材１Ｂが長さ調整可能の引手側の一方側パンタ部材Ｘ２であり、吊元側の一方側パンタ部材Ｘ１の一端部Ｘ１ａと引手側の一方側パンタ部材Ｘ２の一端部Ｘ２ａとを、第二縦桟１７の屋内側と屋外側とに分けて上下方向にガイドし、吊元側の他方側パンタ部材Ｙ１の一端部Ｙ１ａと引手側の他方側パンタ部材Ｙ２の一端部Ｙ２ａとを第二縦桟１７に軸支し、且つ吊元側の他方側パンタ部材Ｙ１の他端部Ｙ１ｂと、他方側パンタ部材Ｙ１の吊元側に位置する隣りパンタ部材Ｚ１の一端部Ｚ１ａとを軸支し、引手側の他方側パンタ部材Ｙ２の他端部Ｙ２ｂと、他方側パンタ部材Ｙ２の引手側に位置する隣りパンタ部材Ｚ２の一端部Ｚ２ａとを軸支している。
第二縦桟１７は図６の如く、屋内竪桟部７ａと屋外竪桟部７ｂとを相対設し、両竪桟部７ａ，７ｂの内側に縦溝部７ｃ，７ｄを相対設しており、屋内側縦溝部７ｃに吊元側の一方側パンタ部材Ｘ１の一端部Ｘ１ａを、屋外竪桟部７ｂに引手側の一方側パンタ部材Ｘ２の一端部Ｘ２ａを分けてガイドするか、屋内側縦溝部７ｃに吊元側の他方側パンタ部材Ｙ１の一端部Ｙ１ａを、屋外竪桟部７ｂに引手側の他方側パンタ部材Ｙ２の一端部Ｙ２ａを分けてガイドしている。
【００１１】
第三実施形態において、吊元側の一方側パンタ部材Ｘ１のパンタ部材長さＨ１と、引手側の一方側パンタ部材Ｘ２のパンタ部材長さＨ２とを相違し、例えば吊元側の一方側パンタ部材長さＨ１を、引手側の一方側パンタ部材長さＨ２より短くするか、反対に吊元側の一方側パンタ部材長さＨ１を、引手側の他方側パンタ部材長さＨ２より長くするれば、第二縦桟１７に対する吊元側の一方側パンタ部材Ｘ１の一端部Ｘ１ａと、引手側の一方側パンタ部材Ｘ２の一端部Ｘ２ａとの間に上下摺動に誤差が生じても、第二縦桟１７の屋内側縦溝部７ｃと屋外側縦溝部７ｄとに分かれて上下摺動するので、第二縦桟１７と引手框６及び吊元框５に対するパンタ部４の取付角度θの変更が可能となる。
【００１２】
本発明における伸縮門扉の第四実施形態を図３に基づき説明すれば、吊元框５と、引手框６と、複数の縦桟７と、パンタ部４とを備え、パンタ部４は、第一パンタ部４Ａと第二パンタ部４Ｂとを伸縮方向に半ピッチ位相をずらして軸支しており、縦桟７は、吊元框５及び引手框６から交合に配置する第一縦桟７と第二縦桟１７とを備え、第一パンタ部４Ａは屋内パンタ部材１Ａと屋外パンタ部材２Ａとの中間部Ｑを第一縦桟７に軸支し、両パンタ部材１Ａ，２Ａのうちの少なくとも一方側パンタ部材Ｘは長さ調整部８を備え、第二パンタ部４Ｂは屋内パンタ部材１１と屋外パンタ部材１２との中間部Ｐを第二縦桟１７に、且つ伸縮方向の側端部ｐを吊元框５又は引手框６に軸支し、第一パンタ部４Ａの中間部Ｑと、第二パンタ部４Ｂの中間部Ｐ及び側端部ｐとを略一線上に配列しており、一方側パンタ部材Ｘと他方側パンタ部材Ｙとの一端部Ｘａ、Ｙａを、縦桟７からパンタ部４の伸縮方向の一方側に位置する一方側部材Ｍに沿って上下方向にガイドし、一方側パンタ部材Ｘの他端部Ｘｂを隣りパンタ部材Ｚ１の一端部Ｚ１ａと、他方側パンタ部材Ｙの他端部Ｙｂを隣りパンタ部材Ｚ２の一端部Ｚ２ａと軸支している。
【００１３】
本発明における伸縮門扉の第五実施形態を、第四実施形態と相違する点について説明すれば、図４（イ）の如く一方側部材Ｍが吊元框５と引手框６であり、他方側部材Ｎが第二縦桟１７であり、一方側パンタ部材Ｘと他方側パンタ部材Ｙとが第一パンタ部４Ａの伸縮方向の側端部に備えてあり、長さ調整部８を備え、一方側パンタ部材長さＨ１と他方側パンタ部材長さＨ２との変更が可能となり、吊元框５及び引手框６に一方側パンタ部材Ｘと他方側パンタ部材Ｙとの一端部Ｘａ，Ｙａを上下方向にガイドし、且つ他方側パンタ部材Ｙの一端部Ｙａを軸支しており、一方側パンタ部材Ｘの他端部Ｘｂと他方側パンタ部材Ｙの他端部Ｙｂのうちの一方側端部ｃを第二縦桟１７に軸支し、他方側端部ｄを第二縦桟１７側の隣のパンタ部材Ｚの一端部Ｚａに軸支している。
その結果、第三実施形態と同様に、一方側パンタ部材Ｘと他方側パンタ部材Ｙとの長さ調整部８を伸縮し、一方側パンタ部材長さＨ１と他方側パンタ部材長さＨ２とを相違すれば、引手框６及び吊元框５に対するパンタ部４の取付角度θの変更が可能となる。
【００１４】
本発明における伸縮門扉の第六実施形態を、第四実施形態と相違する点についてを説明すれば、図４（ロ）の如く一方側部材Ｍが第二縦桟１７であり、第二縦桟１７の吊元側に位置する吊元側屋外パンタ部材２Ａと、第二縦桟１７の引手側に位置する引手側屋内パンタ部材１Ｂとに長さ調整部８を備え、吊元側屋外パンタ部材２Ａが長さ調整可能の吊元側の一方側パンタ部材Ｘ１で、引手側屋内パンタ部材１Ｂが長さ調整可能の引手側の一方側パンタ部材Ｘ２であり、吊元側屋内パンタ部材１Ａが吊元側の他方側パンタ部材Ｙ１で、引手側屋外パンタ部材２Ｂが引手側の他方側パンタ部材Ｙ２であり、吊元側の一方側パンタ部材Ｘ１の一端部Ｘ１ａと引手側の一方側パンタ部材Ｘ２の一端部Ｘ２ａとを、第二縦桟１７の屋内側と屋外側とに分けて上下方向にガイドしており、吊元側の一方側パンタ部材Ｘ１の他端部Ｘ１ｂと、吊元側の一方側パンタ部材Ｘ１の吊元側に位置する隣りパンタ部材Ｚ１の一端部Ｚ１ａとを軸支し、引手側の一方側パンタ部材Ｘ２の他端部Ｘ２ｂと、引手側の一方側パンタ部材Ｘ２の引手側に位置する隣りパンタ部材Ｚ２の一端部Ｚ２ａとを軸支し、且つ吊元側の他方側パンタ部材Ｙ１の一端部Ｙ１ａと、引手側の他方側パンタ部材Ｙ２の一端部Ｙ２ａとを軸支している。
その結果、第五実施形態と同様に、吊元側の一方側パンタ部材Ｘ１と引手側の一方側パンタ材Ｙ２との長さ調整部８を加減し、一方側パンタ部材長さＨ１と他方側パンタ部材長さＨ２とを相違することで、第二縦桟１７に対する上下摺動に誤差が生じても、一端部Ｘ１ａ，Ｘ２ａは同じ第二縦桟１７の屋内側縦溝部７ｃと屋外側縦溝部７ｄとに分かれてガイドされているので、安定した伸縮を得ることができる。
【００１５】
【実施例】
第二実施形態において、長さ調整部８を一方側パンタ部材Ｘにのみに備えたが、他方側パンタ部材Ｙにのみに備えることも、また一方側パンタ部材Ｘと他方側パンタ部材Ｙとの両方に備えることも可能である。
第二実施形態において、吊元框５又は引手框６に他方側パンタ部材Ｙの一端部Ｙａを上下方向にガイドし、一方側パンタ部材Ｘの一端部Ｘａを軸支しても同様の目的を達成するし、他方側パンタ部材Ｙの他端部Ｙｂを縦桟７に軸支し、一方側パンタ部材Ｘの他端部Ｘｂを隣りパンタ部材Ｚの一端部Ｚａと軸支しても同様の目的を達成する。
第三実施形態において、第二縦桟１７の屋外側縦溝部７ｄに吊元側の他方側パンタ部材Ｙ１の一端部Ｙ１ａを、屋内側縦溝部７ｃに引手側の他方側パンタ部材Ｙ２の一端部Ｙ２ａを分けて上下方向にガイドし、吊元側の一方側パンタ部材Ｘ１と引手側の一方側パンタ部材Ｘ２との一端部Ｘ１ａ，Ｘ２ａを同じ第二縦桟１７に軸支しても同様の目的を達成する。
【００１６】
第四実施形態において、第二パンタ部４Ｂの屋内パンタ部材１１と屋外パンタ部材１２との中間部Ｐを縦桟７に、第一パンタ部４Ａの屋内パンタ部材１と屋外パンタ部材２との中間部Ｑを第二縦桟１７に軸支し、第一パンタ部４Ａの伸縮方向の側端に、吊元框５及び引手框６に軸支する側端部ｐを設けても同様の目的を達成する。
第五実施形態において、第一パンタ部４Ａの伸縮方向の側端部に、長さ調整可能な一方側パンタ部材Ｘと他方側パンタ部材Ｙとを備え、両パンタ部材Ｘ，Ｙの一端部Ｘａ，Ｙａを同じ吊元框５又は引手框６に沿って上下方向にガイドしても同様の目的を達成する。
第六実施形態において、第一パンタ部４Ａの吊元側の他方側パンタ部材Ｙ１と引手側の他方側パンタ部材Ｙ２とに長さ調整部８を備え、吊元側の他方側パンタ部材Ｙ１の一端部Ｙ１ａを第二縦桟１７の屋外側縦溝部７ｄに、引手側の他方側パンタ部材Ｙ２の一端部Ｙ２ａを同じ第二縦桟１７の屋内側縦溝部７ｃに分けて上下方向にガイドしても同様の目的を達成する。
【００１７】
長さ調整部８は図９の如く、長手方向に挿通部３６を有する太部材３３と、挿通部３６の内部にスライド可能に挿入する細部材３４と、太部材３３と細部材３４を固定する固定ネジ３５とを備え、太部材３３は長手方向に直交する固定孔３８を、細部材３４は固定孔３８に連通し長手方向に長くなる長孔３７を設け、固定孔３８から長孔３７に固定ネジ３５を挿通固定し、長孔３７の範囲内で一方側及び他方側パンタ部材長さＨ１，Ｈ２の変更を可能にするか、更に太部材３３と細部材３４とに跨がる補強材３９を備え、補強材３９を介して太部材３３と細部材３４を固定しているが、これらの構造に限定されるものではなく、一方側及び他方側パンタ部材長さＨ１，Ｈ２を調整し得るものであれば自由である。
【００１８】
吊元框５は図５（イ）（ロ）の如く、屋内竪部５ａと屋外竪部５ｂとを相対向して備え、両竪部５ａ，５ｂに縦溝部５ｃ，５ｄの開口側を相対向して設けており、引手框６は吊元框５と同様に、相対する屋内竪部６ａと屋外竪部６ｂとに、縦溝部６ｃ，６ｄの開口側を相対向して設けている。
縦桟７は図６の如く、屋内竪部７ａと屋外竪部７ｂとを相対向して備え、両竪部７ａ，７ｂに縦溝部７ｃ，７ｄの開口側を相対向して設けており、吊元框５及び引手框６と同様の構造を成している。
【００１９】
図５（イ）は、吊元框５及び引手框６に対する一方側パンタ部材Ｘの一端部Ｘａの軸支を示すもので、屋内竪部６ａと屋外竪部５ｂとの間に框用固定軸２１を設け、框用固定軸２１の中央部にスリーブ２７を嵌合し、スリーブ２７の屋外側にスペーサ２８を、スリーブ２７の屋内側に他方側パンタ部材Ｙの一端部Ｙａとスペーサ２８を順に嵌合している。
図５（ロ）は、吊元框５及び引手框６に対する他方側パンタ部材Ｙの一端部Ｙａのガイドを示すもので、屋内側縦溝部５ｃと屋外側縦溝部５ｄとに上下ガイドされた框用摺動軸２３を備え、框用摺動軸２３の中央部にスリーブ２７を嵌合し、スリーブ２７の屋外側に一方側パンタ部材Ｘの一端部Ｘａとガイドローラー２９を、スリーブ２７の屋内側にスペーサ２８とガイドローラー２９を順に嵌合している。
図６（イ）は、一方側パンタ部材Ｘと隣りパンタ部材Ｚとの軸支を示すもので、縦桟７の屋内竪桟部７ａと屋外竪桟部７ｂとの間を自由に通過する縦桟用摺動軸２６の中央部にスリーブ２７を嵌合し、スリーブ２７の屋内側に他方側パンタ部材Ｙの他端部Ｙｂを、スリーブ２７の屋外側に隣りパンタ部材Ｚの一端部Ｚａを連結している。
図６（ロ）は、縦桟７に対する屋内パンタ部材１の他端部と、屋外パンタ部材２の他端部との軸支を示すもので、屋内竪桟部７ａと屋外竪桟部７ｂとの間に縦桟用固定軸２２を設け、縦桟用固定軸２２の中央部にスリーブ２７を嵌合し、スリーブ２７の屋内側に屋内パンタ部材１の他端部とスペーサ２８を、スリーブ２７の屋外側に屋外パンタ部材２の他端部とスペーサ２８を順に嵌合している。
図６（ハ）は、屋内パンタ部材１と屋外パンタ部材２との中間部Ｑの縦桟７に対する軸支を示すもので、屋内竪桟部７ａと屋外竪桟部７ｂとの間に縦桟用固定軸２２を設け、縦桟用固定軸２２の中央部にスリーブ２７を嵌合し、スリーブ２７の屋内側に屋内パンタ部材１とスペーサ２８を、スリーブ２７の屋外側に屋外パンタ部材２とスペーサ２８を順に嵌合している。
【００２０】
図７（イ）は、吊元框５及び引手框６に対する側端部ｐの軸支を示すもので、屋内竪部５ａと屋外竪部５ｂとの間に框用固定軸２１を架設し、框用固定軸２１の中央部にスリーブ２７を嵌合し、スリーブ２７の屋内側に一方側パンタ部材Ｘの一端部Ｘａとスペーサ２８を、スリーブ２７の屋外側に他方側パンタ部材Ｙの一端部Ｙａとスペーサ２８を順に嵌合している。
図７（ロ）は、吊元框５及び引手框６に対する一方側パンタ部材Ｘの一端部Ｘａのガイド例を示すものであり、図７（ハ）は、同じ吊元框５及び引手框６に対する他方側パンタ部材Ｙの一端部Ｙａのガイド例を示すものであり、図７（ロ）（ハ）は図５（ロ）と略同様であるから、説明を省略する。
図８（イ）は、第二縦桟１７に対する第一パンタ部４Ａの中間部Ｑの軸支を示すもので、屋内竪桟部７ａと屋外竪桟部７ｂとの間に縦桟用固定軸２２を設け、縦桟用固定軸２２の中央部にスリーブ２７を嵌合し、スリーブ２７の屋内側に屋内パンタ部材１とスペーサ２８を、スリーブ２７の屋外側に屋外パンタ部材２とスペーサ２８を順に嵌合している。
図８（ロ）は、屋内パンタ部材１及び屋外パンタ部材２と隣りパンタ部材Ｚとの軸支を示すもので、図５（ハ）と略同様であるから、説明を省略する。
図８（ハ）は、第二縦桟１７に対する一方側パンタ部材Ｘと他方側パンタ部材Ｙとのガイドを示すもので、屋内側縦溝部７ｃにガイドされている屋内側摺動軸２４に、一方側パンタ部材Ｘと、その屋内側にガイドローラー２９を順に嵌合しており、一端部Ｘａは、同じ第二縦桟１７の屋外側縦溝部７ｄにガイドされている屋外側摺動軸２５に、他方側パンタ部材Ｙと、その屋外側にガイドローラー２９を順に嵌合しており、一方側パンタ部材Ｘと他方側パンタ部材Ｙとを、別々に上下方向にガイドする。
【００２１】
パンタ部４は、伸縮扉１０の施工間隔や施工環境等によって定めるもので、例えば第四実施形態〜第六実施形態の伸縮扉１０にあっては、パンタ部４の伸縮方向の吊元框５側端部に位置する屋内パンタ部材１と屋外パンタ部材２とに長さ調整部８を備え、一方側パンタ部材Ｘの一端部Ｘａと、他方側パンタ部材Ｙの一端部Ｙａとを、吊元框５によりガイドすることも可能であるし、施工間隔の長い伸縮扉１０にあっては、パンタ部４の伸縮方向の側端部に位置する屋内及び屋外パンタ部材１，２の他に、任意第二縦桟１７に対する屋内及び屋外パンタ部材１，２とに長さ調整部８を備え、その一端部Ｘａ，Ｙａを第二縦桟１７によりガイドすることも可能である。
更に、総ての屋内パンタ部材１と屋外パンタ部材２とに長さ調整部８を備え、総ての屋内及び屋外パンタ部材１，２を長さ調整することも可能である。
伸縮扉１０は出入口の両側に立設した門柱Ｄの一方に軸支することも、両方に夫々軸支することも可能である。
屋内パンタ部材１と、屋外パンタ部材２と、吊元框５と、引手框６と、縦桟７は、合成樹脂材にて形成することも可能であるが、軽金属材、特にパンタ合金にて形成することが望ましい。
【００２２】
【発明の効果】
本発明の伸縮門扉は上記の通りであるから、次に記載する効果を奏する。
請求項１に記載の伸縮門扉は、吊元框と引手框の隣に位置する第一縦桟に軸支した屋内パンタ部材と屋外パンタ部材のうち一方側パンタ部材が長手方向に長さ調整可能であるから、傾斜地に施工する場合、一方側パンタ部材長さを変更するだけで、吊元框及び引手框に対し角度調整可能に取付け得る。しかも一方側パンタ部材長さを変更しても外観がほとんど変わらないので、体裁がよい。
請求項２に記載の伸縮門扉は、吊元框と引手框の隣に位置する第一縦桟に軸支した屋内パンタ部材と屋外パンタ部材の長さ調整を行うことで、任意の傾斜角度に対応できる。
【図面の簡単な説明】
【図１】本発明による伸縮門扉の第一実施形態を示す正面図である。
【図２】（イ）（ロ）
第二実施形態のパンタ部を示す要部正面図と、第三実施形態のパンタ部を示す要部正面図である。
【図３】本発明による伸縮門扉の第四実施形態を示す正面図である。
【図４】（イ）（ロ）
第五実施形態のパンタ部を示す要部正面図と、第六実施形態のパンタ部を示す要部正面図である。
【図５】（イ）（ロ）
第一実施形態の框に対するパンタ部材の軸支例とガイド例を示す要部断面図である。
【図６】（イ）（ロ）（ハ）
第一実施形態におけるパンタ部材同士の軸支を示す要部断面図と、縦桟に対するパンタ部材の軸支を示す要部断面図である。
【図７】（イ）（ロ）（ハ）
第四実施形態の框に対するパンタ部材の軸支例とガイド例を示す要部断面図である。
【図８】（イ）（ロ）（ハ）
第四実施形態における縦桟に対するパンタ部材の軸支を示す要部断面図、パンタ部材同士の軸支と縦桟の関係を示す要部断面図、縦桟に対するパンタ部材のガイド例を示す要部断面図である。
【図９】（イ）（ロ）（ハ）
長さ調整部を備えたパンタ部材の正面図と平面図と拡大断面図である。
【符号の説明】
１，１Ａ，１Ｂ，１１  屋内パンタ部材
２，２Ａ，２Ｂ，１２  屋外パンタ部材
Ｘ，Ｘ１，Ｘ２  一方側パンタ部材
Ｙ，Ｙ１，Ｙ２  他方側パンタ部材
Ｚ，Ｚ１，Ｚ２  隣りパンタ部材
Ｘａ，Ｘ１ａ、Ｘ２ａ  一方側パンタ部材の一端部
Ｙａ，Ｙ１ａ，Ｙ２ａ  他方側パンタ部材の一端部
Ｚａ，Ｚ１ａ，Ｚ２ａ  隣りパンタ部材の一端部
Ｘｂ，Ｘ１ｂ、Ｘ２ｂ  一方側パンタ部材の他端部
Ｙｂ，Ｙ１ｂ，Ｙ２ｂ  他方側パンタ部材の他端部
ｃ  一方側端部、ｄ  他方側端部
４  パンタ部、４Ａ  第一パンタ部、４Ｂ  第二パンタ部
５  吊元框
６  引手框
７  縦桟（第一縦桟）、１７  第二縦桟
８  長さ調整部
１０  伸縮扉
２１，２２  固定軸、２３，２４，２５，２６  摺動軸
２７  スリーブ、２８  スペーサ、２９  ガイドローラー
３３  太部材、３４  細部材、３５  固定ネジ、３９  補強材
Ｍ  一方側部材、Ｎ  他方側部材
Ｐ，Ｑ  中間部、ｐ  側端部
Ｃ  キャスター、Ｄ  門柱
Ｈ１  一方側パンタ部材長さ、Ｈ２  他方側パンタ部材長さ
θ  取付角度
【図１】
0003648106.tif 000002
【図２】
0003648106.tif 000003
【図３】
0003648106.tif 000004
【図４】
0003648106.tif 000005
【図５】
0003648106.tif 000006
【図６】
0003648106.tif 000007
【図７】
0003648106.tif 000008
【図８】
0003648106.tif 000009
【図９】
0003648106.tif 000010